(57)【要約】【課題】デジタルテレビシステムの操作画面を変更するためのプログラムを放送波に混ぜることでプッシュ配信し、デジタルテレビ側で利用者の嗜好にあわせて取捨選択を行い、容易な操作でカスタマイズができる技術を提供することを課題とする。【解決手段】利用者の嗜好情報を記憶する記憶手段と、メニュー画面に追加メニュー項目を追加するためのプログラム及びキーワード情報を受信する受信手段と、受信手段により受信されるキーワード情報が記憶手段に記憶された利用者の嗜好情報と一致したときに、受信手段により受信されるプログラムをインストールするインストール手段とを有するデジタルテレビが提供される。【選択図】        図１
2004194245.tif 000002
【特許請求の範囲】
【請求項１】
利用者の嗜好情報を記憶する記憶手段と、
メニュー画面に追加メニュー項目を追加するためのプログラム及びキーワード情報を受信する受信手段と、
前記受信手段により受信されるキーワード情報が前記記憶手段に記憶された利用者の嗜好情報と一致したときに、前記受信手段により受信されるプログラムをインストールするインストール手段とを有することを特徴とするデジタルテレビ。
【請求項２】
前記インストール手段は、
前記受信手段により受信されるキーワード情報が前記記憶手段に記憶された利用者の嗜好情報と一致したときに利用者に告知する告知手段と、
利用者の指示により、前記受信手段により受信されるプログラムをインストールする実行手段とを有することを特徴とする請求項１記載のデジタルテレビ。
【請求項３】
さらに、メニュー画面を表示する表示手段を有することを特徴とする請求項１又は２記載のデジタルテレビ。
【請求項４】
利用者の嗜好情報を記憶する記憶手段と、
メニュー画面を装飾するためのプログラム及びキーワード情報を受信する受信手段と、
前記受信手段により受信されるキーワード情報が前記記憶手段に記憶される利用者の嗜好情報と一致したときに、前記受信手段により受信されるプログラムをインストールするインストール手段とを有することを特徴とするデジタルテレビ。
【請求項５】
前記インストール手段は、
前記受信手段により受信されるキーワード情報が前記記憶手段に記憶される利用者の嗜好情報と一致したときに利用者に告知する告知手段と、
利用者の指示により、前記受信手段により受信されるプログラムをインストールするインストール手段とを有することを特徴とする請求項４記載のデジタルテレビ。
【請求項６】
さらに、メニュー画面を表示する表示手段を有することを特徴とする請求項４又は５記載のデジタルテレビ。
【請求項７】
メニュー画面のレイアウト又はリモコンのボタン割り当てに変更するためのプログラム及びリモコンの特性情報を受信する受信手段と、
利用者の操作の傾向情報を記憶する記憶手段と、
前記受信手段により受信されるリモコンの特性情報と前記記憶手段に記憶される利用者の操作の傾向情報との比較に応じて、前記受信手段により受信されるプログラムをインストールするインストール手段とを有することを特徴とするデジタルテレビ。
【請求項８】
前記インストール手段は、
前記受信手段により受信されるリモコンの特性情報と前記記憶手段に記憶される利用者の操作の傾向情報との比較に応じて利用者に告知する告知手段と、
利用者の指示により、前記受信手段により受信されるプログラムをインストールする実行手段とを有することを特徴とする請求項７記載のデジタルテレビ。
【請求項９】
さらに、メニュー画面を表示する表示手段を有する請求項７又は８記載のデジタルテレビ。
【請求項１０】
前記利用者の操作の傾向情報は、ある機能を実行するための操作履歴、実行するまでに発生する操作ミス、リモコンを持つ手、及び、置いて使うか持って使うかの情報のうちの少なくといずれか１つを含む請求項７〜９のいずれか１項に記載のデジタルテレビ。
【請求項１１】
リモコンの情報を送信する送信手段と、
前記リモコンの情報に応じたメニュー画面のレイアウト又はリモコンのボタン割り当てに変更するためのプログラムを受信する受信手段と、
前記受信手段により受信されるプログラムをインストールするインストール手段とを有することを特徴とするデジタルテレビ。
【請求項１２】
前記インストール手段は、利用者の指示に応じて、前記受信手段により受信されるプログラムをインストールすることを特徴とする請求項１１記載のデジタルテレビ。
【請求項１３】
さらに、メニュー画面を表示する表示手段を有する請求項１１又は１２記載のデジタルテレビ。
【請求項１４】
デジタルテレビのメニュー画面のレイアウト又はリモコンのボタン割り当てを変更するための複数のプログラム及びそれに対応するユーザインタフェースの情報を記憶する記憶手段と、
デジタルテレビのリモコンの情報を受信する受信手段と、
前記受信手段により受信されるリモコンの情報と前記記憶手段に記憶されるユーザインタフェースの情報との比較に応じて、前記記憶手段に記憶されている複数のプログラムの中から選択したプログラムを送信する送信手段とを有することを特徴とするプログラム送信装置。
【請求項１５】
デジタルテレビ及びプログラム送信装置からなるデジタルテレビシステムであって、
前記デジタルテレビは、
リモコンの情報を送信する送信手段と、
前記リモコンの情報に応じたメニュー画面のレイアウト又はリモコンのボタン割り当てに変更するためのプログラムを受信する受信手段と、
前記受信手段により受信されるプログラムをインストールするインストール手段とを有し、
前記プログラム送信装置は、
デジタルテレビのメニュー画面のレイアウト又はリモコンのボタン割り当てを変更するための複数のプログラム及びそれに対応するユーザインタフェースの情報を記憶する記憶手段と、
前記デジタルテレビからリモコンの情報を受信する受信手段と、
前記受信手段により受信されるリモコンの情報と前記記憶手段に記憶されるユーザインタフェースの情報との比較に応じて、前記記憶手段に記憶されている複数のプログラムの中から選択したプログラムを前記デジタルテレビに送信する送信手段とを有することを特徴とするデジタルテレビシステム。
【請求項１６】
メニュー画面に追加メニュー項目を追加するためのプログラム及びキーワード情報を受信する受信ステップと、
前記受信したキーワード情報が記憶手段に記憶されている利用者の嗜好情報と一致したときに、受信したプログラムをインストールするインストールステップとを有することを特徴とするデジタルテレビのインストール方法。
【請求項１７】
メニュー画面を装飾するためのプログラム及びキーワード情報を受信する受信ステップと、
前記受信したキーワード情報が記憶手段に記憶されている利用者の嗜好情報と一致したときに、受信したプログラムをインストールするインストールステップとを有することを特徴とするデジタルテレビのインストール方法。
【請求項１８】
メニュー画面のレイアウト又はリモコンのボタン割り当てに変更するためのプログラム及びリモコンの特性情報を受信する受信ステップと、
前記受信したリモコンの特性情報と記憶手段に記憶される利用者の操作の傾向情報との比較に応じて、受信したプログラムをインストールするインストールステップとを有することを特徴とするデジタルテレビのインストール方法。
【請求項１９】
リモコンの情報を送信する送信ステップと、
前記リモコンの情報に応じたメニュー画面のレイアウト又はリモコンのボタン割り当てに変更するためのプログラムを受信する受信ステップと、
前記受信したプログラムをインストールするインストールステップとを有することを特徴とするデジタルテレビのインストール方法。
【請求項２０】
デジタルテレビのメニュー画面のレイアウト又はリモコンのボタン割り当てを変更するための複数のプログラム及びそれに対応するユーザインタフェースの情報を記憶する記憶手段を有する装置のプログラム送信方法であって、
デジタルテレビのリモコンの情報を受信する受信ステップと、
前記受信したリモコンの情報と前記記憶手段に記憶されるユーザインタフェースの情報との比較に応じて、前記記憶手段に記憶されている複数のプログラムの中から選択したプログラムを送信する送信ステップとを有することを特徴とするプログラム送信方法。
【発明の詳細な説明】
【０００１】
【発明の属する技術分野】
本発明は、デジタルテレビ及びそのインストール方法に関するものである。
【０００２】
【従来の技術】
従来のコンピュータ機器における操作画面は、装飾情報(アピアランス、スキンなど)の変更、操作形式(クローム、または操作デバイスの変更)の変更、操作項目のエイリアス(リンク、ショートカットなど)の集合を作成すること(ランチャーなど)、などにより操作画面を自分の使用用途に合わせて、使いやすく変更することができた。
【０００３】
また、各種変更のためのパッチやソフトウェアはインターネット上で検索し、ダウンロードして、システムにインストールすることによって入手することができた。
【０００４】
【発明が解決しようとする課題】
しかし、デジタルテレビシステムにおいて、メニュー画面をカスタマイズする目的でパッチやソフトウェアをインターネット上で検索して、ダウンロードすることは利用者に対して難解な作業を要求することになり、好ましくない。
【０００５】
また、そもそも比較的操作に慣れているユーザが行っていたコンピュータ機器の操作画面のカスタマイズを、デジタルテレビシステムの広範な利用者に行わせることもまた好ましくない。
【０００６】
本発明はこのような状況を鑑みてなされたものであり、デジタルテレビシステムの操作画面を変更するためのプログラムを放送波に混ぜることでプッシュ配信し、デジタルテレビ側で利用者の嗜好にあわせて取捨選択を行い、容易な操作でカスタマイズができる技術を提供することを目的とする。
【０００７】
【課題を解決するための手段】
本発明の一観点によれば、利用者の嗜好情報を記憶する記憶手段と、メニュー画面に追加メニュー項目を追加するためのプログラム及びキーワード情報を受信する受信手段と、前記受信手段により受信されるキーワード情報が前記記憶手段に記憶された利用者の嗜好情報と一致したときに、前記受信手段により受信されるプログラムをインストールするインストール手段とを有することを特徴とするデジタルテレビが提供される。
本発明の他の観点によれば、利用者の嗜好情報を記憶する記憶手段と、メニュー画面を装飾するためのプログラム及びキーワード情報を受信する受信手段と、前記受信手段により受信されるキーワード情報が前記記憶手段に記憶される利用者の嗜好情報と一致したときに、前記受信手段により受信されるプログラムをインストールするインストール手段とを有することを特徴とするデジタルテレビが提供される。
本発明のさらに他の観点によれば、メニュー画面のレイアウト又はリモコンのボタン割り当てに変更するためのプログラム及びリモコンの特性情報を受信する受信手段と、利用者の操作の傾向情報を記憶する記憶手段と、前記受信手段により受信されるリモコンの特性情報と前記記憶手段に記憶される利用者の操作の傾向情報との比較に応じて、前記受信手段により受信されるプログラムをインストールするインストール手段とを有することを特徴とするデジタルテレビが提供される。
本発明のさらに他の観点によれば、リモコンの情報を送信する送信手段と、前記リモコンの情報に応じたメニュー画面のレイアウト又はリモコンのボタン割り当てに変更するためのプログラムを受信する受信手段と、前記受信手段により受信されるプログラムをインストールするインストール手段とを有することを特徴とするデジタルテレビが提供される。
本発明のさらに他の観点によれば、デジタルテレビのメニュー画面のレイアウト又はリモコンのボタン割り当てを変更するための複数のプログラム及びそれに対応するユーザインタフェースの情報を記憶する記憶手段と、デジタルテレビのリモコンの情報を受信する受信手段と、前記受信手段により受信されるリモコンの情報と前記記憶手段に記憶されるユーザインタフェースの情報との比較に応じて、前記記憶手段に記憶されている複数のプログラムの中から選択したプログラムを送信する送信手段とを有することを特徴とするプログラム送信装置が提供される。
本発明のさらに他の観点によれば、デジタルテレビ及びプログラム送信装置からなるデジタルテレビシステムであって、前記デジタルテレビは、リモコンの情報を送信する送信手段と、前記リモコンの情報に応じたメニュー画面のレイアウト又はリモコンのボタン割り当てに変更するためのプログラムを受信する受信手段と、前記受信手段により受信されるプログラムをインストールするインストール手段とを有し、前記プログラム送信装置は、デジタルテレビのメニュー画面のレイアウト又はリモコンのボタン割り当てを変更するための複数のプログラム及びそれに対応するユーザインタフェースの情報を記憶する記憶手段と、前記デジタルテレビからリモコンの情報を受信する受信手段と、前記受信手段により受信されるリモコンの情報と前記記憶手段に記憶されるユーザインタフェースの情報との比較に応じて、前記記憶手段に記憶されている複数のプログラムの中から選択したプログラムを前記デジタルテレビに送信する送信手段とを有することを特徴とするデジタルテレビシステムが提供される。
本発明のさらに他の観点によれば、メニュー画面に追加メニュー項目を追加するためのプログラム及びキーワード情報を受信する受信ステップと、前記受信したキーワード情報が記憶手段に記憶されている利用者の嗜好情報と一致したときに、受信したプログラムをインストールするインストールステップとを有することを特徴とするデジタルテレビのインストール方法が提供される。
本発明のさらに他の観点によれば、メニュー画面を装飾するためのプログラム及びキーワード情報を受信する受信ステップと、前記受信したキーワード情報が記憶手段に記憶されている利用者の嗜好情報と一致したときに、受信したプログラムをインストールするインストールステップとを有することを特徴とするデジタルテレビのインストール方法が提供される。
本発明のさらに他の観点によれば、メニュー画面のレイアウト又はリモコンのボタン割り当てに変更するためのプログラム及びリモコンの特性情報を受信する受信ステップと、前記受信したリモコンの特性情報と記憶手段に記憶される利用者の操作の傾向情報との比較に応じて、受信したプログラムをインストールするインストールステップとを有することを特徴とするデジタルテレビのインストール方法が提供される。
本発明のさらに他の観点によれば、リモコンの情報を送信する送信ステップと、前記リモコンの情報に応じたメニュー画面のレイアウト又はリモコンのボタン割り当てに変更するためのプログラムを受信する受信ステップと、前記受信したプログラムをインストールするインストールステップとを有することを特徴とするデジタルテレビのインストール方法が提供される。
本発明のさらに他の観点によれば、デジタルテレビのメニュー画面のレイアウト又はリモコンのボタン割り当てを変更するための複数のプログラム及びそれに対応するユーザインタフェースの情報を記憶する記憶手段を有する装置のプログラム送信方法であって、デジタルテレビのリモコンの情報を受信する受信ステップと、前記受信したリモコンの情報と前記記憶手段に記憶されるユーザインタフェースの情報との比較に応じて、前記記憶手段に記憶されている複数のプログラムの中から選択したプログラムを送信する送信ステップとを有することを特徴とするプログラム送信方法が提供される。
【０００８】
【発明の実施の形態】
（第１の実施形態）
図１は本発明の第１の実施形態によるグラフィカルユーザインタフェースの変更方法を適用したデジタルテレビシステムである。
図１において、デジタルテレビシステム101は番組放送側が信号送信装置102から放送する放送波を受信する信号受信部103、メニューやデータコンテンツの表示を担うGUI制御部104を含むシステムソフトウェア（コンピュータプログラム）105、映像やGUIを表示する表示装置106、およびユーザの嗜好情報を記録保存するユーザプロファイルデータベース部107からなる。
【０００９】
図2は当実施形態における、グラフィカルユーザインタフェースの変更作業の流れを示す図である。
ステップS201では、信号送信装置102がメニュー追加ソフトのアーカイブを送信する。
ステップS202では、デジタルテレビの信号受信部103で受信する。
ステップS203では、受信したアーカイブからヘッダを抽出する。
【００１０】
ステップS204では、ヘッダに含まれるキーワードのいずれかが、プロファイルデータベース107に含まれる嗜好キーワードに属する（含まれる）か否かをチェックする。属していればステップS205へ進み、属していなければステップS207へ進む。
【００１１】
ステップS205では、利用者への問い合わせ（図８）を行い、追加画面のインストールを希望するときにはステップS206へ進み、希望しなければステップS207へ進む。
ステップS206では、追加画面のインストールを行う。
ステップS207では、処理を完了する。
【００１２】
デジタルテレビシステム101では、製品購入時に利用者に対し嗜好情報をアンケート形式で入力させる、または利用者の操作を通じて利用者の嗜好情報を学習するなどの仕組みをシステムソフトウェア105に持たせ、ユーザプロファイルデータベース107を形成する。
【００１３】
ここで、たとえばユーザプロファイルデータベース107の構成を図３のようなものとする。
ユーザプロファイルデータベースでは、利用者識別情報（ユーザID）301と利用者の嗜好キーワード302で利用者情報を管理する。
嗜好キーワード302は、利用者の「好み」の情報のキーワードとなる単語を収録する。
【００１４】
信号送信装置102では、任意の商品や番組企画の宣伝・広告、連動コンテンツの初期操作画面(ポータル画面)の提供などを目的として、デジタルテレビシステムのメニュー画面に対する追加画面を表示するための、情報(プログラム)を番組やCM放送中の放送波に混ぜて各家庭のデジタルテレビシステム101に対して配信する。
【００１５】
配信されるプログラムは図4のようなヘッダ部を持っている。ヘッダ部は、システム互換情報401及びアーカイブの嗜好キーワードテーブル402を有する。ヘッダ部分に用意されたシステム互換情報401により、デジタルテレビシステム101の構成との適合性を判断し、当該システムでの適用が可能であることを確認した後に、嗜好情報（キーワードテーブル）402を用いて利用者の嗜好情報との比較判断を行う。一致すれば、利用者の希望に応じて、追加画面を表示するためのデータ本体（プログラム）403をデジタルテレビシステム101にインストールする。
【００１６】
デジタルテレビシステムにおけるユーザプロファイルデータベース部の嗜好キーワード302、および配信される情報に含まれる嗜好情報402はそれぞれアンケートや手入力といった方法で設定されるほか、前者は普段の試聴履歴を参考に番組詳細情報からのキーワード切り出しで、また、後者は配信情報に含まれる詳細情報からのキーワード切り出しなどの手段により、(半)自動的に生成することも可能とする。
【００１７】
例えば、配信されたプログラム401〜403が図5、またデジタルテレビシステム101に含まれるユーザプロファイルデータベース107における、ある利用者の嗜好情報が図6のような場合を考える。
【００１８】
図5は、システム互換情報502、嗜好キーワードテーブル503及びデータ本体501を示す。配信されたプログラムの実情報部501は、図7のような映画広告を盛り込んだメニュー画面を利用者に提供するためのソフトウェアアップデータとする。
【００１９】
図5のプログラムでは、新作のカーアクション映画の広告に関する追加メニュー画面を提供するものであり、内容に関係するキーワードが嗜好情報部503に記録されている。
【００２０】
嗜好情報部503のキーワードと、デジタルテレビシステム側のユーザプロファイルデータベース部における嗜好キーワード602とを比較すると、一致するキーワードが存在し、利用者が配信されたプログラムに関心を持っている可能性があることになる。
【００２１】
続いて、図8のような表示を行い、利用者に対して配信されたプログラムを利用するかどうかの判断を仰ぎ、利用者が配信されたプログラムを利用する場合は、メニュー画面に図7のような画面が追加される。
【００２２】
上記により、配信される追加メニュー画面の中から利用者の嗜好にあったものだけを選択して、利用者に提示し、容易にサービスを利用するためのメニュー画面を追加することが可能となる。
【００２３】
（第2の実施形態）
図9は本発明の第２の実施形態によるグラフィカルユーザインタフェースの変更方法を適用したデジタルテレビシステムである。
図9において、デジタルテレビシステム901は番組放送側が信号送信装置902から放送する放送波を受信する信号受信部903、メニューやデータコンテンツの表示を担うGUI制御部904を含むシステムソフトウェア905、映像やGUIを表示する表示装置906、およびユーザの嗜好情報を記録保存するユーザプロファイルデータベース部907からなる。
【００２４】
図10は当実施形態における、グラフィカルユーザインタフェ−スの変更作業の流れを示す図である。
ステップS1001では、信号送信装置902がメニュー装飾ソフトのアーカイブを送信する。
ステップS1002では、デジタルテレビの信号受信部903で受信する。
ステップS1003では、受信したアーカイブからヘッダを抽出する。
【００２５】
ステップS1004では、ヘッダに含まれるキーワードのいずれかが、プロファイルデータベース907に含まれる嗜好キーワードに属する（含まれる）か否かをチェックする。属していればステップS1005へ進み、属していなければステップS1007へ進む。
【００２６】
ステップS1005では、利用者への問い合わせ（図16）を行い、装飾データのインストールを希望するときにはステップS1006へ進み、希望しなければステップS1007へ進む。
ステップS1006では、装飾データのインストールを行う。
ステップS1007では、処理を完了する。
【００２７】
デジタルテレビシステム901では、製品購入時に利用者に対し、嗜好情報をアンケート形式で入力させる、または利用者の操作を通じて利用者の嗜好情報を学習するなどの仕組みをシステムソフトウェア905に持たせ、ユーザプロファイルデータベース907を形成する。
【００２８】
ここで、例えばユーザプロファイルデータベース907の構成を図11のようなものとする。
ユーザプロファイルデータベースでは、利用者識別情報（ユーザID）1101と利用者の嗜好キーワード1102で利用者を管理する。
嗜好キーワード1102は、利用者の「好み」の情報のキーワードとなる単語を収録する。
【００２９】
信号送信装置902では、任意の商品や番組企画の宣伝・広告、またはキャラクターグッズのように、サービスを象徴するキャラクタなどを利用して利用者のサービスに対する認知度を向上させたり、愛着を増させることを目的として、デジタルテレビシステムのメニュー画面におけるコンポーネント(ボタンやパネルなど)を装飾するための、情報(プログラム)を番組やCM放送中の放送波に混ぜて各家庭のデジタルテレビシステム901に対して配信する。
【００３０】
配信されるプログラムは図12のようなヘッダ部を持っている。ヘッダ部は、システム互換情報1201及びアーカイブの嗜好キーワードテーブル1202を有する。ヘッダ部分に用意されたシステム互換情報1201により、デジタルテレビシステム901の構成との適合性を判断し、当該システムでの適用が可能であることを確認した後に、嗜好情報（キーワードテーブル）1202を用いて利用者の嗜好情報との比較判断を行う。一致すれば、利用者の希望に応じて、コンポーネントを装飾するためのデータ本体（プログラム）1203をデジタルテレビシステム901にインストールする。
【００３１】
デジタルテレビシステムにおけるユーザプロファイルデータベース部の嗜好キーワード1102、および配信されるプログラムに含まれる嗜好情報1202はそれぞれアンケートや手入力といった方法で設定されるほか、普段の試聴履歴を参考に番組詳細情報からのキーワード切り出しや、配信情報に含まれる詳細情報からのキーワード切り出しなどの手段により、(半)自動的に生成することも可能とする。
【００３２】
図13は、システム互換情報1302、嗜好キーワードテーブル1303及びデータ本体1301を示す。例えば、配信されたプログラム1201〜1203が図13、またデジタルテレビシステム901に含まれるユーザプロファイルデータベース907におけるある利用者の嗜好情報が図14のような場合を考える。
【００３３】
配信されたプログラムの実情報部1301は、図15(A)のコンポーネントを図15（B）のコンポーネントのように変更するためのデータやプログラムを提供するものとする。
【００３４】
図15(A),(B)のメニュー画面はメニュー項目1501a,1501b、メニューフォーカス1502a,1502bからなり、図15（B）ではメニューフォーカスの移動の際に視覚効果を与えるメニュー選択マスコット1503bが付加される。
【００３５】
図13のプログラムは、サッカーワールドカップに関する画面装飾プログラムを提供するものであり、内容に関係するキーワードが嗜好情報部1303に記録されている。
【００３６】
嗜好情報部1303のキーワードと、デジタルテレビシステム側のユーザプロファイルデータベース部における嗜好キーワード1402とを比較すると、一致するキーワードが存在し、利用者が配信されたプログラムに関心をもっている可能性があることになる。
【００３７】
続いて、図16のような表示を行い、利用者に対して配信されたプログラムを利用するかどうかの判断を仰ぎ、利用者が配信されたプログラムを利用する場合は図15(B)のように操作画面を変更する。
【００３８】
上記により、配信される追加機能の中から利用者の嗜好にあったものだけを選択して、利用者に提示し、利用者の好みに合った操作画面を提供することが可能となる。
【００３９】
（第3の実施形態）
図17は本発明の第３の実施形態によるグラフィカルユーザインタフェースの変更方法を適用したデジタルテレビシステムである。
図17において、デジタルテレビシステム1701は番組放送側が信号送信装置1702から放送する放送波を受信する信号受信部1703、メニューやデータコンテンツの表示を担うGUI制御部1704を含むシステムソフトウェア1707、およびリモコン装置1705の信号を受信するリモコン受信部1706、映像やGUIを表示する表示装置1708、およびユーザの嗜好情報と特徴情報を記録保存するユーザプロファイルデータベース部1709からなる。
【００４０】
図18は当実施形態における、グラフィカルユーザインタフェースの変更作業の流れを示す図である。
ステップS1801では、信号送信装置1702で新しいリモコン情報を配信する。
ステップS1802では、デジタルテレビの信号受信部1703で受信する。
ステップS1803では、受信したアーカイブからヘッダを抽出する。
【００４１】
ステップS1804では、当該リモコン装置の推薦度が、ある任意の設定値以上であるか否かをチェックする。設定値以上であればステップS1805へ進み、設定値未満であればステップS1807へ進む。
【００４２】
ステップS1805では、利用者による購入の指示があり、かつ操作・表示方法変更プログラムのインストールを希望すればステップS1806へ進み、それ以外はステップS1807へ進む。
ステップS1806では、操作・表示方法変更プログラムのインストールを行う。
ステップS1807では、処理を完了する。
【００４３】
リモコン装置1705はある一定の基準(信号の送信方式や最低限必要なボタンの種類など)を満たした複数種類のものが、利用者によって選択でき、基準に沿ったリモコン装置であればデジタルテレビシステムのリモコン受信部1506は信号を受信することができるものとする。
【００４４】
利用者は自分の「好みの」、または「身体条件に合った」操作デバイスを有するリモコンを選択して利用することができるものとする。
デジタルテレビシステム1701では、製品購入時に利用者に対し、利用者の嗜好情報と特徴情報をアンケート形式で入力させる、または利用者の操作を通じて利用者の嗜好情報と特徴情報を学習するなどの仕組みをシステムソフトウェア1707に持たせ、ユーザプロファイルデータベース1709を形成する。
【００４５】
ここで、例えばユーザプロファイルデータベース1709の構成を図19のようなものとする。
ユーザプロファイルデータベースでは、利用者識別情報（ユーザID）1901と利用者の嗜好キーワード1902、利用者の特徴情報パラメータ部1903で利用者を管理する。
嗜好キーワード1902は、利用者の「好み」の情報のキーワードとなる単語を収録する。
【００４６】
特徴情報1903は、利用者の性質を保存する。例えば、利用者の利き腕、身体障害の有無、リモコンによる基本操作(10キーによるか、「+」「・」「-」キーによるか。) 、操作のやり直しの頻度、などを記録する。特徴情報（利用者の操作の傾向情報）1903は、ある機能を実行するための操作履歴、実行するまでに発生する操作ミス、リモコンを持つ手、及び、置いて使うか持って使うかの情報のうちの少なくといずれか１つを含む。
【００４７】
信号送信装置1702では、デジタルテレビシステム1701で利用可能なリモコンを製造するメーカー等が、製造したリモコンの広告情報を放送波に混ぜて各過程のデジタルテレビシステムに対して配信する。
【００４８】
配信される広告情報は図20のような構成になっており、ヘッダ部及びデータ本体を有する。ヘッダ部は、システム互換情報2002及びリモコンの特徴情報2003を有する。ヘッダ部分に用意されたシステム互換情報2002により、デジタルテレビシステム1701との適合性を判断し、当該システムでの適用が可能であることを確認する。
【００４９】
次に、配信される広告情報によって告知されるリモコンの特性情報2003とデジタルテレビシステムのユーザプロファイルデータベース1709に記録されている利用者の特徴情報パラメータ部1903に基づいて、当該リモコンの利用者に対する推奨度を決定する。
【００５０】
例えば、推奨度を導出する流れは図21のようになる。あるユーザのプロファイルが図21(A)のような場合、図21(B)の送信されたリモコンの特性情報との共通項目を洗い出す。図21（C）のように、共通項目の中でリモコンの特性情報側に振られた重み係数の合計を取り、その値を推奨度とする。
【００５１】
図21のような流れでリモコンの推薦度を算出し、任意の値を超えるものについて図22のように利用者に対して提示を行う。
図22の提示を受けた利用者がリモコンを購入すると、続いてリモコン用のドライバウェアとグラフィカルユーザインタフェースの変更のための情報(プログラム)が配信される。
【００５２】
このとき配信されるグラフィカルユーザインタフェースの変更のためのプログラムとは、例えば、購入したリモコンが図23のような2方向シャトルデバイスが用意されている場合、図24(A)のようなメニュー画面を、図24(B)のようなメニュー画面に変更するためのプログラムを示す。
【００５３】
配信されたプログラムの受信が完了すると、図25のような提示を行い、利用者に対して、使用しているリモコンに適したグラフィカルユーザインタフェースパターン(レイアウトやリモコンのボタン割り当て)に変更するかどうかを判断させる。利用者が希望すれば、操作・表示方法変更プログラムがデジタルビデオシステム1701にインストールされる。
【００５４】
上記により、利用者は利用者に応じたリモコンの推薦を受けることができ、またさまざまなリモコンの形式にあわせたレイアウトやリモコンのボタン割り当てを設定することができるようになる。
【００５５】
(第4の実施形態)
本発明の第4の実施形態は、第3の実施形態における図17のシステムに対し、図26のようにネットワークへの接続のためのネットワーク接続部2611とネットワークに存在するサーバ2610を追加する。
【００５６】
サーバ2610では、信号送信装置2602によって送信されるグラフィカルユーザインタフェースパターン(レイアウトやリモコンのボタン割り当て)のプログラムが常に蓄積される。
【００５７】
第3の実施形態において、別のリモコンの提示を受けなかった場合でも、任意の操作に対する操作ミスの回数が一定数を超える場合、または、グラフィカルユーザインタフェースを変更することが望ましい特徴情報を有する場合(これらの判断は例えば、エージェントなどの機能によって行われる)、デジタルテレビ側が特徴情報を基にサーバ2610を検索し、グラフィカルユーザインタフェースの変更のための情報(プログラム)を自動的にダウンロードする。
【００５８】
サーバ2610はグラフィカルユーザインタフェースの変更のためのプログラムを蓄積しており、任意のリモコンとの相性を示す特性情報を伴っている。
デジタルテレビシステム2601では、現在使用しているリモコン装置2605の情報をサーバ2610にむけて送信する。リモコン装置の情報を受けたサーバ2610ではグラフィカルユーザインタフェースパターンに付随する特性情報と受信した情報を比較し、図27の手順で適合度を算出する。
【００５９】
あるリモコンの特徴情報が図27(A)のような場合、サーバ上のグラフィカルユーザインタフェースパターンを変更するためのプログラムのアーカイブに付随する、図27(B)のグラフィカルユーザインタフェースパターンの特性情報との共通項目を洗い出す。図27(C)のように、共通項目の中でグラフィカルユーザインタフェースパターンの特性情報側に振られた重み係数の合計を取り、その値を適合度とする。
【００６０】
算出された適合度が一定の値を超えるものについて、グラフィカルユーザインタフェースパターンの変更のためのプログラムをデジタルテレビ2601に送信する。
【００６１】
グラフィカルユーザインタフェースの変更のための情報を受信したデジタルテレビ2601では、図28のような提示を行い、利用者に対して使用しているリモコンに適した別のグラフィカルユーザインタフェースパターン(レイアウトやリモコンのボタン割り当て)に変更するかどうかを判断させる。利用者が変更を希望すれば、デジタルテレビ2601は、受信したプログラムをインストールする。
上記により、利用者は現在使っているリモコンに合わせた別の操作形式(レイアウトやリモコンのボタン割り当て)を設定することができるようになる。
【００６２】
以上のように、第1の実施形態のデジタルテレビシステムは、デジタルテレビのメニュー画面を編成し表示する手段と、メニュー画面に追加メニュー項目および項目群を追加するためのプログラムを受信する手段と、利用者の嗜好情報を蓄積する手段を持つデジタルテレビシステムであって、配信される前述のプログラムに付随する、関連キーワード情報をもとに、利用者の嗜好情報とあったものだけを利用者に告知する手段と、前述のプログラムの適用を実行する手段を持ち、利用者に追加操作画面を提供する。
第1の実施形態によれば、配信される追加機能の中から利用者の嗜好にあったものだけを選択し、利用者に提示し、容易にサービスを利用するためのメニュー画面を追加することが可能となる。
【００６３】
第2の実施形態によるデジタルテレビシステムは、デジタルテレビのメニュー画面を編成し表示する手段と、メニュー画面をあるテーマに基づいて装飾するためのプログラムを受信する手段と、利用者の嗜好情報を蓄積する手段を持つデジタルテレビシステムであって、配信される前述のプログラムにプログラムに付随する、関連キーワード情報をもとに利用者の嗜好情報とあったものだけを利用者に告知する手段と、前述のプログラムの適用を実行する手段を持ち、利用者の操作画面を装飾する。
第2の実施形態によれば、配信される追加機能の中から利用者の嗜好にあったものだけを選択して、利用者に提示し、利用者の好みに合った操作画面を提供することが可能となる。
【００６４】
第3の実施形態のデジタルテレビシステムは、デジタルテレビのメニュー画面を編成し表示する手段と、メニュー画面を操作するためのリモコンと、リモコン操作によりデジタルテレビに対して発信されるコマンド(どのキーを押したかなど)とリモコンの固有情報(メーカIDや機械ID)を受信する手段と、メニュー画面のレイアウトと操作のためのリモコンのボタン割り当てを変更するためのプログラムを受信する手段と、利用者の操作の傾向情報（ある機能を実行するための操作履歴、および、実行するまでに発生する操作ミス、またはリモコンを持つ手や置いて使うか、持って使うかなど）を蓄積する手段を持つデジタルテレビシステムであって、配信される新しいリモコンの仕様情報に含まれるリモコンの特性情報と、前述の利用者の操作の傾向情報から推奨度を算出する手段と、推奨度がある設定値より高いものについて、利用者に告知する手段、さらに当該リモコンでの操作に適したメニュー画面のレイアウト、およびリモコンのボタン割り当てを提供するためのプログラムを受信する手段、前述のプログラムの適用を実行する手段をもち、利用者のメニュー画面のレイアウト、およびリモコンのボタン割り当てを変更する。
第3の実施形態によれば、利用者は利用者の操作環境に応じたリモコンの推薦を受けることができ、またさまざまなリモコンの形式に合わせた操作形式を設定することができるようになる。
【００６５】
第4の実施形態のデジタルテレビシステムは、第3の実施形態のデジタルテレビシステムにおいて、ネットワークに接続するための手段と、メニュー画面のレイアウト、およびリモコンのボタン割り当てを変更するためのプログラムを蓄積する手段を追加し、蓄積されたメニュー画面のレイアウト、およびリモコンのボタン割り当てを変更するためのプログラムの中から、現在使用中のリモコンの特性情報と、メニュー画面のレイアウト、およびリモコンのボタン割り当てのパターンを変更するためのプログラムに付随する、当該プログラムによって実現されるグラフィカルユーザインタフェースの特性情報とから、算出される適合度に基づき、適合度がある設定値より高いものについて、利用者に提供する。
第4の実施形態によれば、利用者が使っているリモコンにあわせた別の操作形式を容易に設定することができるようになる。
【００６６】
本実施形態は、コンピュータ（デジタルテレビシステム等）がプログラムを実行することによって実現することができる。また、プログラムをコンピュータに供給するための手段、例えばかかるプログラムを記録したＣＤ−ＲＯＭ等の記録媒体又はかかるプログラムを伝送するインターネット等の伝送媒体も本発明の実施形態として適用することができる。上記のプログラム、記録媒体及び伝送媒体は、本発明の範疇に含まれる。記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００６７】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【００６８】
【発明の効果】
以上説明したように、受信するプログラムの中から利用者の嗜好にあったものだけを選択し、利用者に提示し、容易にサービスを利用するためのメニュー項目をメニュー画面に追加することが可能となる。
また、受信するプログラムの中から利用者の嗜好にあったものだけを選択して、利用者に提示し、利用者の好みに合ったメニュー画面の装飾をすることが可能となる。
また、利用者は利用者の操作環境に応じたリモコンの推薦を受けることができ、またさまざまなリモコンの形式に合わせた操作形式を設定することができるようになる。
また、利用者が使っているリモコンにあわせた別の操作形式を容易に設定することができるようになる。
【図面の簡単な説明】
【図１】本発明の第1の実施形態によるグラフィカルユーザインタフェースの変更方法を適用したデジタルテレビシステムの構成図である。
【図２】グラフィカルユーザインタフェースの変更の作業の流れを示す図である。
【図３】ユーザプロファイルの構成の一例を示す図である。
【図４】配信されるグラフィカルユーザインタフェース情報の構成の例を示す図である。
【図５】配信されるグラフィカルユーザインタフェース情報のヘッダの内容の一例を示す図である。
【図６】ユーザプロファイルの一例を示す図である。
【図７】番組広告を目的とした追加操作画面の一例を示す図である
【図８】追加操作画面を追加するソフトウェアの着信をユーザに告知する画面の例を示す図である
【図９】本発明の第2の実施形態によるグラフィカルユーザインタフェースの変更方法を適用したデジタルテレビシステムの構成図である。
【図１０】グラフィカルユーザインタフェースの変更の作業の流れを示す図である。
【図１１】ユーザプロファイルの構成の一例を示す図である。
【図１２】配信されるグラフィカルユーザインタフェース情報の構成の例を示す図である。
【図１３】配信されるグラフィカルユーザインタフェース情報のヘッダの内容の一例を示す図である。
【図１４】ユーザプロファイルの一例を示す図である。
【図１５】メニュー画面の変更前・変更後の一例を示す図である。
【図１６】メニュー画面の装飾情報を含むソフトウェアの着信をユーザに告知する画面の例を示す図である。
【図１７】本発明の第3の実施形態によるグラフィカルユーザインタフェースの変更方法を適用したデジタルテレビシステムの構成図である。
【図１８】グラフィカルユーザインタフェースの変更の作業の流れを示す図である。
【図１９】ユーザプロファイルの構成の一例を示す図である。
【図２０】配信されるリモコン情報の構成の例を示す図である。
【図２１】ユーザに対するリモコンの推奨度を算出する流れを示す図である。
【図２２】ユーザに対して、当該ユーザに適した新しいリモコン装置の告知を行う画面の例を示す図である。
【図２３】リモコンの主操作デバイスの例を示す図である。
【図２４】メニュー画面の操作形式の変更前・変更後の一例を示す図である。
【図２５】リモコンにあわせた操作形式を提供するプログラムを含むソフトウェアの着信をユーザに告知する画面の例を示す図である。
【図２６】本発明の第4の実施形態によるグラフィカルユーザインタフェースの変更方法を適用したデジタルテレビシステムの構成図である。
【図２７】リモコンに対するメニュー画面の操作形式の適合度を算出する流れを示す図である。
【図２８】リモコンに適した操作形式を提供するプログラムを告知する画面の例を示す図である。
【符号の説明】
１０１  デジタルテレビシステム
１０２  信号送信装置
１０３  信号受信部
１０４  GUI制御部
１０５  システムソフトウエア
１０６  表示装置
１０７  ユーザプロファイルデータベース
【図１】
2004194245.tif 000003
【図２】
2004194245.tif 000004
【図３】
2004194245.tif 000005
【図４】
2004194245.tif 000006
【図５】
2004194245.tif 000007
【図６】
2004194245.tif 000008
【図７】
2004194245.tif 000009
【図８】
2004194245.tif 000010
【図９】
2004194245.tif 000011
【図１０】
2004194245.tif 000012
【図１１】
2004194245.tif 000013
【図１２】
2004194245.tif 000014
【図１３】
2004194245.tif 000015
【図１４】
2004194245.tif 000016
【図１５】
2004194245.tif 000017
【図１６】
2004194245.tif 000018
【図１７】
2004194245.tif 000019
【図１８】
2004194245.tif 000020
【図１９】
2004194245.tif 000021
【図２０】
2004194245.tif 000022
【図２１】
2004194245.tif 000023
【図２２】
2004194245.tif 000024
【図２３】
2004194245.tif 000025
【図２４】
2004194245.tif 000026
【図２５】
2004194245.tif 000027
【図２６】
2004194245.tif 000028
【図２７】
2004194245.tif 000029
【図２８】
2004194245.tif 000030